(57)【要約】【課題】予め印影を電子的な画像データとして記憶し、電子スタンプ1に挿入された紙面を撮影し、該紙面に表示された押印すべき位置又は押印すべき枠線を自動的に判別して、その判別結果に応じて押印する位置、押印する角度、印影のサイズを調整して印影を押印する電子スタンプ1を提供する。【解決手段】挿入された紙面に印刷を行う電子スタンプ1において、紙面を印刷可能領域内に配置させる紙載置部5と、前記紙載置部5に配置された前記紙面を撮像する撮像部27と、前記撮像された画像情報及び印影の画像情報を記憶する記憶部と、前記記憶部に記憶された画像情報から押印すべき位置を判別すると共に前記印影の画像の修正を行う画像識別部と、前記画像識別部で判別された押印位置に前記画像識別部で修正された印影画像の印刷を行う印刷部9と、を備えた。【選択図】図１
2010206648.tif 000002
【特許請求の範囲】
【請求項１】
挿入された紙面に印刷を行う電子スタンプにおいて、
紙面を印刷可能領域内に配置させる紙載置部と、
前記紙載置部に配置された前記紙面を撮像する撮像部と、
前記撮像された画像情報及び印影の画像情報を記憶する記憶部と、
前記記憶部に記憶された画像情報から押印すべき位置を判別すると共に前記印影の画像の修正を行う画像識別部と、
前記画像識別部で判別された押印位置に前記画像識別部で修正された印影画像の印刷を行う印刷部と、
を備えたことを特徴とする電子スタンプ。
【請求項２】
前記画像識別部は、前記撮像された画像情報から押印すべき枠や印などの文字を判別し、その中心位置を押印位置の中心とすることを特徴とする請求項１記載の電子スタンプ。
【請求項３】
前記画像識別部は、前記撮像された画像情報から押印すべき枠や印などの文字の傾きを判別し、その傾きに応じて印影を傾けた印影の画像を生成し、前記印刷部は、生成された印影画像を前記判別された押印すべき位置に印刷することを特徴とする請求項１又は請求項２記載の電子スタンプ。
【請求項４】
前記画像識別部は、前記撮像された画像情報から押印すべき枠の大きさや印などの文字の大きさを判別し、その大きさに応じて印影を拡大又は縮小した印影の画像を生成し、前記印刷部は、生成された印影画像を前記判別された押印すべき位置に印刷することを特徴とする請求項１乃至請求項３の何れかに記載の電子スタンプ。
【請求項５】
電子スタンプには、更に、
ボタン操作を行う入力操作部と、
撮像された画像などを表示する表示部とを備え、
前記画像識別部は、前記撮像された画像情報から押印すべき枠や印などの文字が複数判別された時には、撮像された画像に判別された複数の押印する領域を示す画像を合成して前記表示部に表示し、前記印刷部は、前記入力操作部で選択された押印する領域に適切な印影を印刷することを特徴とする電子スタンプ。
【発明の詳細な説明】
【技術分野】
【０００１】
本発明は、装置内に挿入された紙面に印刷を行う電子スタンプに関する。
【背景技術】
【０００２】
従来の電子スタンプとしては、例えば、特開２０００−００１０３２号公報（特許文献１）における押印用プリンタシステムのように、印刷媒体上に底面を接触させて印刷を行う電子スタンプがあり、直接、用紙に対してインクを吹き付けるノズル列を備えたインクジェットヘッドを有し、該ノズル列に対し垂直方向にインクジェットヘッドを移動させながら印刷データに応じてインクを吹き付けることにより印字が実現され、押印した回数や、押印の日付及び時刻などに関する情報管理もされている。
【０００３】
しかしながら、このような押印プリンタシステムでは、紙面の押印場所の位置に正しく電子スタンプを載置する必要があり、押印欄の枠からずれてはみ出したり、押印欄の枠に対して傾いて押印してしまったり、誤って上下逆さまに押印してしまうことがあり、正しく押印できないことがある。また紙面に対して印面を均一に押し当てることができず、綺麗に押印できないという問題もあった。
【０００４】
また、据え置き型の電子スタンプにおいては、紙面を配置する台が用意されていることから、紙面に対して印面を均一に押し当てることができるものの、押印される位置が予め決まっており、その位置に正しく紙面を配置する必要があり、上述の電子スタンプと同様に、押印欄の枠からずれてはみ出したり、押印欄の枠に対して傾いて押印してしまったり、誤って上下逆さまに押印してしまう等、正しく押印できないことがあった。
【０００５】
また、特開２００６−０４１８０２公報（特許文献２）は、電子画像ファイルの画像に図柄印影となる画像を重ねるスタンプ制御装置が開示されており、電子画像ファイルの所定の位置に印影となる画像を重ねる際、他のオブジェクト画像が在る場合には、その位置の近傍位置に印影画像のサイズ以上の面積を有する空白スペースが存在するか判断し、存在しない場合には、空白スペースのうち最も大きな面積を有する空白スペースを算出し、算出された空白スペースに印影を重ねる事ができるように印影のサイズを縮小して印影の画像を重ねるものが提案されている。
【先行技術文献】
【特許文献】
【０００６】
【特許文献１】特開２０００−００１０３２号公報
【特許文献２】特開２００６−０４１８０２号公報
【発明の概要】
【発明が解決しようとする課題】
【０００７】
本発明では、この押印が正しく行われない問題点に対し、予め印影を電子的な画像データとして記憶し、電子スタンプに挿入された紙面を撮影し、該紙面に記載された押印すべき位置又は押印すべき枠線を自動的に判別して、その判別結果に応じて押印する位置、押印する角度、印影のサイズを調整して印影を押印する電子スタンプを提供することを課題とする。
【課題を解決するための手段】
【０００８】
本発明の電子スタンプは、紙面を印刷可能領域内に配置させる紙載置部と、前記紙載置部に挿入された前記紙面を撮像する撮像部と、前記撮像された画像情報及び印影の画像情報を記憶する記憶部と、前記記憶部に記憶された画像情報から押印すべき位置を判別すると共に前記印影の画像の修正を行う画像識別部と、前記画像識別部で判別された押印位置に前記画像識別部で修正された印影画像の印刷を行う印刷部と、を備えたことを特徴とする。
【０００９】
また、前記画像識別部は、前記撮像された画像情報から押印すべき枠や印などの文字を判別し、その中心位置を押印位置の中心とすることを特徴とする。
【００１０】
そして、前記画像識別部は、前記撮像された画像情報から押印すべき枠や印などの文字の傾きを判別し、その傾きに応じて印影を傾けた印影の画像を生成し、前記印刷部は、生成された印影画像を前記判別された押印すべき位置に印刷することを特徴とする。
【００１１】
さらに、前記画像識別部は、前記撮像された画像情報から押印すべき枠の大きさや印などの文字の大きさを判別し、その大きさに応じて印影を拡大又は縮小した印影の画像を生成し、前記印刷部は、生成された印影画像を前記判別された押印すべき位置に印刷すること特徴とする。
【００１２】
また、電子スタンプには、更に、ボタン操作を行う入力操作部と、撮像された画像などを表示する表示部とを備え、前記画像識別部は、前記撮像された画像情報から押印すべき枠や印などの文字が複数判別された時には、撮像された画像に判別された複数の押印する領域を示す画像を合成して前記表示部に表示し、前記印刷部は、前記入力操作部で選択された押印する領域に適切な印影を印刷する。
【発明の効果】
【００１３】
本発明の電子スタンプは、挿入された紙面の押印箇所に、適切に押印できるよう、印影の位置や印影の角度、印影のサイズが自動的に調整されるので、紙面を慎重に挿入する等の必要がなく、簡単且つ正確な押印が可能となる。
【００１４】
また、押印箇所が紙面の上端や下端に位置するような場合においても、印面の向き（天地）を気にすることなく紙面を挿入すれば、簡単に正しく押印することができる。
【図面の簡単な説明】
【００１５】
【図１】本発明の実施例に係る電子スタンプの外観を示す図である。
【図２】本発明の実施例に係る電子スタンプでの印刷例である。
【図３】本発明の実施例に係る電子スタンプの機能ブロック図である。
【図４】本発明の実施例に係る電子スタンプのフローチャートである。
【図５】本発明の実施例に係る電子スタンプの動作説明図である。
【図６】本発明の実施例に係る電子スタンプの動作説明図である。
【発明を実施するための形態】
【００１６】
以下、本発明を実施するための形態について述べる。本発明の電子スタンプ1は、紙面を印刷可能領域内に配置させる紙載置部5と、前記紙載置部5に挿入配置された前記紙面を撮像する撮像部27と、前記撮像された画像情報及び印影の画像情報を記憶する記憶部25と、前記記憶部25に記憶された画像情報から押印すべき位置を判別すると共に前記印影の画像の修正を行う画像識別部29と、前記画像識別部29で判別された押印位置に前記画像識別部29で修正された印影画像の印刷を行う印刷部9と、を備えた。
【００１７】
また、前記画像識別部29は、前記撮像された画像情報から押印すべき枠や「印」などの文字を判別し、その中心位置を押印位置の中心とする。
【００１８】
そして、前記画像識別部29は、前記撮像された画像情報から押印すべき枠や「印」の文字などの傾きを判別し、その傾きに応じて印影を傾けた印影の画像を生成し、前記印刷部9は、生成された印影画像を前記判別された押印すべき位置に印刷する。
【００１９】
さらに、前記画像識別部29は、前記撮像された画像情報から押印すべき枠の大きさや印などの文字の大きさを判別し、その大きさに応じて印影を拡大又は縮小した印影の画像を生成し、前記印刷部9は、生成された印影画像を前記判別された押印すべき位置に印刷する。
【００２０】
また、本発明の電子スタンプ1には、更に、ボタン操作を行う入力操作部17と、撮像された画像などを表示する表示部13とを備え、前記画像識別部29は、前記撮像された画像情報から押印すべき枠や「印」などの文字が複数判別された時には、撮像された画像に判別された複数の押印する領域を示す画像を合成して前記表示部13に表示し、前記印刷部9は、前記入力操作部17で選択された押印する領域に適切な印影を印刷する。
【実施例】
【００２１】
以下、本発明の実施例を図に基づいて詳説する。図１は、本発明の実施例に係る電子スタンプ1の外観を示す斜視図であり、図２は本発明の実施例に係る電子スタンプ1での印刷例である。
【００２２】
図１に示すように、電子スタンプ1は、略立方形状に形成され、電子スタンプ1の下端近傍に底面と平行な間隙となる空間が形成され印刷される紙面を挿入配置する紙載置部5が形成されている。また、電子スタンプ1の上面には、撮像された紙面の画像、種々の設定や印刷位置の選択、更に各警告表示等を表示する為の表示部13となるＬＣＤと、入力操作部となる操作ボタン19が配置されている。そして電子スタンプ1の内部で紙載置部5の直上の位置に、挿入された紙面に印刷を行う印刷部9と、挿入された紙面を撮像する撮像部27が配置されている。
【００２３】
この電子スタンプ1は、紙載置部5に挿入された紙面に記載された押印位置（押印欄などの位置）に適切に押印できるように、挿入された紙面を撮像部27で撮像して、押印すべき位置を自動的に判別し、その判別結果に基づき押印位置、印影の角度、印影のサイズを調整することによって、図２（Ａ）に示すように枠内に、又図２（Ｂ）に示すような押印箇所に、正しく押印することができ、押印欄などの適切な押印位置に印影を容易に押印することができる。
【００２４】
そして、この電子スタンプ1は、回路構成を示すブロック図である図３に示すように、制御部23、記憶部25、撮像部27、画像識別部29、印刷部9、入力操作部17、表示部13、時計部15を備える。
【００２５】
この制御部23は、マイクロコンピュータとしてのＣＰＵであり、制御部23に接続された入力操作部17や表示部13、時計部15、記憶部25、画像識別部29、撮像部27、印刷部9の動作を、この制御部23で制御する。そして、制御部23は、入力操作部17からのキー操作信号に応じて、又は、自動で記憶部25のＲＯＭに予め記憶されているシステムプログラムを起動させ、記憶部25のＲＡＭをワークメモリとして回路各部の動作を制御する。
【００２６】
また、記憶部25は、ＲＯＭとＲＡＭで構成され、該記憶部25には、押印するための印影画像が記憶されている。また、後述する画像識別部29で使用されるパターンマッチング用の画像として、押印欄の四角形状の枠や円形状の枠、「印」の文字などの画像が記憶されている。
【００２７】
そして、記憶部25のＲＯＭには、入力操作部17で選択された押印位置に印刷するためのプログラム、印刷用フォント、印刷用データ等が記憶されている。また、記憶部25のＲＡＭは、入力操作部17から入力された文字などを記憶する入力データメモリ、入力された文字などの印刷情報が展開された印刷パターンデータが記憶される印刷データメモリ、表示部13に表示されるパターンデータが記憶される表示データメモリ等の各領域が確保され、印刷処理等に必要なデータを一時的に記憶するレジスタやカウンタ等が設けられている。
【００２８】
また、撮像部27は、紙載置部5に挿入された紙面の所要範囲を撮像するものであり、撮像部27で撮像された紙面画像は、記憶部25のＲＡＭに記憶される。そして、この撮像部27に使用される撮像装置は、電荷結合素子となるＣＣＤ又はＣＭＯＳ素子で形成され、ファクシミリや複写機で用いられるリニアイメージセンサ、又はビデオカメラやデジタルスチルカメラなどで用いられるエリアイメージセンサが使用される。尚、本発明の実施例においては、２次元範囲を撮像するエリアイメージセンサが用いられている。また、１次元範囲を撮像するリニアイメージセンサが用いられる場合には、後述する印刷部9のノズル列11と平行且つ近傍に配置され、撮像時は、該リニアイメージセンサのセンサ列と共にノズル列11を、センサ列と直角方向に移動させて走査し、紙面の撮像が行われる。
【００２９】
また、撮像部27の撮像する範囲は、後述する印刷部9の印刷可能範囲よりも広くなっている。
【００３０】
そして、画像識別部29は、撮像部27で撮像され記憶部25のＲＡＭに記憶された紙面画像について、記憶部25に保持されているパターンマッチング用の画像とのパターンマッチングを行ない、押印欄となる四角形状の枠や円形状の枠などを判別し、判別された押印欄の中心位置を押印する中心位置として決定する。また、「印」の文字が判別された際には、該文字の中心位置を押印する中心位置として決定される。そして、画像識別部29は、さらにその押印欄に適切に押印するために、判別された枠の角度や枠の大きさ又判別された文字の角度や文字の大きさに応じて、記憶部25に記憶されている印影画像の角度や大きさを修正し、修正済み印影画像を生成する。
【００３１】
また、印刷部9は、画像識別部29で生成された修正済み印影画像を、紙載置部5に挿入された紙面に印刷する。この印刷部9は、紙面に対してインクを吹き付けるノズル列11を有するインクジェットヘッドで構成されており、図示しないが該インクジェットヘッドを駆動させる駆動機構を備えている。そして、印刷時には、ノズル列11と直角方向にインクジェットヘッドを移動させて、紙面にインクを吹き付けて印刷が行われる。尚、実施例においては、ノズル列11を有するインクジェットヘッドを用いてインクを吹き付ける印刷方法の例を示したが、これに限定されるものでなく熱転写テープを用いた印刷方法や、転写テープにドットを打ち付けて印刷する印刷方法など、どのような印刷方法を用いても構わない。
【００３２】
そして、入力操作部17は、印刷を指示する実行ボタン21と操作ボタン19で構成され、入力操作部17で入力された信号は、制御部23にキー操作信号として送信される。
【００３３】
また、表示部13は、ＬＣＤで構成され、撮像された紙面画像、種々の設定や印刷位置の選択、更に各警告表示等が表示される。そして、撮像された紙面の画像に修正済み印影画像を合成して該表示部13に表示することにより、押印する前に押印された結果を確認することができる。
【００３４】
そして、時計部15は、現在日時情報を保持しており、現在日付や現在時刻情報を制御部23に送信している。また、これらの情報は、画像識別部29で印影画像の生成を行う際に、現在の日付情報や、現在の時刻情報を基づいて、日付又は時刻情報を加えた印影画像を生成することができるものである。
【００３５】
次に、図４のフローチャート図を用いて、本実施例の電子スタンプ1の動作フローについて述べる。図５（Ａ）は、紙載置部5に、紙面が配置されていない状態を示し、内側の方形状の領域は、印刷可能範囲αを示し、外側の方形状の領域は、撮像可能領域βを示している。電子スタンプ1は、撮像部27による撮像や、または紙載置部5に別途センサを設けることにより、紙載置部5に図５（Ｂ）に示すような紙面が挿入配置されているか（ステップＳ１０１）を判断する。
【００３６】
次に、図５（Ｃ）に示すように撮像部27により撮像された画像に変化があった場合や、又はセンサに反応があった場合には、紙載置部5に紙面が挿入配置されたと判断され、紙載置部5に挿入された紙面を撮像（ステップＳ１０３）し、記憶部25のＲＡＭに保存する。また、撮像部27により撮像された画像に変化が無かった場合や、センサに反応が無かった場合には、ステップＳ１０１を繰り返し、該紙載置部5に紙面が配置されるまで待機する。
【００３７】
次に、紙載置部5に紙面が配置されることにより撮像部27が撮像して記憶部25のＲＡＭに保存された紙面画像に基づいて、画像識別部29による画像識別（ステップＳ１０５）を実行する。この画像識別部29は、撮像された印刷可能範囲αの中の紙面画像を、記憶部25に記憶されたパターンマッチング用の画像となる押印欄の四角形状の枠や円形状の枠、「印」の文字などの画像とのパターンマッチングを行い、該パターンマッチングの結果、その印刷可能範囲α内に押印すべき箇所が識別された時には、押印すべき位置となる印刷位置、押印する印影の角度、印影画像のサイズを決定する（ステップＳ１０７）。
【００３８】
また、画像識別（ステップＳ１０５）によるパターンマッチングの結果、押印すべき箇所が識別されない時には、ステップＳ１０１に戻り待機する。
【００３９】
そして、撮像した画像を表示部13で表示する場合には、表示確認（ステップＳ１０９）が実行され、図６（Ｄ）に示すように記憶部25に記憶された紙面画像の印刷可能領域α内の画像が、表示部13に表示される。
【００４０】
次に、押印対象は複数かの判断（ステップＳ１１１）が実行される。このステップは、図６（Ｂ）に示すように複数の押印箇所を有する紙面が挿入されている時など、押印すべき箇所となる押印欄が２箇所以上発見された場合、押印位置選択（ステップＳ１１３）が実行され、押印すべき箇所が１つである場合には、押印画像の処理（ステップＳ１１５）が実行される。
【００４１】
例えば、図６（Ｂ）に示すように紙面上に複数の押印欄が記載されている紙面を紙載置部5に挿入することにより、図６（Ａ）に示すように紙載置部5の印刷可能範囲αに２つの押印欄が配置された場合、画像識別（ステップＳ１０５）では、図６（Ｃ）に示すように２箇所の押印欄が識別されることになる。また画像識別部29は、識別された押印欄の全てに対して、押印すべき印影の角度、印影画像のサイズを決定し、画像識別部29は、撮像された紙面画像に対して、図６（Ｃ）に示すように識別された押印欄の全てに方形状の枠線となる画像を合成し、図６（Ｄ）に示すように表示確認（ステップＳ１０９）として表示部13に該合成画像を表示させる。そして、押印位置選択（ステップＳ１１３）を行って、使用者に、入力操作部17の選択ボタンの操作を促し、何れかの方形状の枠線を選択する入力が行われると、画像識別部29は押印する位置を決定する。
【００４２】
このようにして、押印位置選択（ステップＳ１１３）で使用者が選択した押印位置の枠に対して、押印画像の処理（ステップＳ１１５）を行い、この押印画像の処理（ステップＳ１１５）では、ステップＳ１０７で、決定された押印する印影の角度や、決定された印影画像のサイズに応じて、記憶部25に記憶されている図５（Ｄ）に示すような印影画像の角度に修正すると共に、画像の大きさを修正して、押印すべき箇所となる押印欄に適切に押印するための図５（Ｅ）に示すような印影画像が生成される。また、日付又は時刻情報を加える時には、これらの情報を該印影画像に合成して生成される。当該ステップが終了した後、印刷実行（ステップＳ１１７）が実行される。
【００４３】
印刷実行（ステップＳ１１７）では、駆動機構によりノズル列11を有するインクジェットヘッドをノズル列11に対して直角方向に移動させつつ、ノズル列11よりインクを吹き付けて、図５（Ｆ）に示すように押印欄に対して正位置の角度且つ適切な印影のサイズの印影が印刷され、電子スタンプ1の押印は完了する。
【００４４】
尚、電子スタンプ1に表示部13や、入力操作部17の選択ボタンを備えない場合には、画像識別（ステップＳ１０５）の後、押印画像の処理（ステップＳ１１５）が実行される。
【００４５】
このような構造とすることにより、挿入された紙面の押印箇所に、適切に押印できるよう、位置や角度が自動的に調整できることとなり、紙面を慎重に紙載置部5に挿入配置する等の必要がなく、簡単且つ正確な押印が可能となる。
【００４６】
また、押印箇所が紙面の上端や下端に位置するような場合においても、印面の向き（天地）を気にすることなく紙面を挿入すれば、簡単に正しく押印することができる。
【００４７】
尚、本発明は、以上の実施例に限定されるものでなく、発明の要旨を逸脱しない範囲で自由に変更、改良が可能である。
【符号の説明】
【００４８】
1  電子スタンプ               5  紙載置部
9  印刷部                    11  ノズル列
13  表示部                    15  時計部
17  入力操作部                19  操作ボタン
21  実行ボタン                23  制御部
25  記憶部                    27  撮像部
29  画像識別部
【図１】
2010206648.tif 000003
【図２】
2010206648.tif 000004
【図３】
2010206648.tif 000005
【図４】
2010206648.tif 000006
【図５】
2010206648.tif 000007
【図６】
2010206648.tif 000008